(57)【要約】  報告パネルは、選択されたハンドケア基準を報告する。該報告パネルは、１つ以上のハンドケア製品ディスペンサーの近くの位置に取り付けられてもよく、１つ以上のハンドケア製品ディスペンサーに関連付けられてもよい。該報告パネルは、監視システムと通信してもよく、ハンドケア製品ディスペンサーと通信してもよい。【選択図】図１
2016522461.tif 000002
【特許請求の範囲】
【請求項１】
２つ以上のハンドケア推奨基準が遵守されていることを監視する方法であって、
ハンドケア推奨基準を識別する指標を受信する工程と、
ハンドケア製品ディスペンサーがハンドケア製品を分配するように動作したという指標を受信する工程と、
前記ハンドケア推奨基準の指標を前記ハンドケア製品ディスペンサーの前記指標された使用と関連付ける工程と
を備えている、方法。
【請求項２】
ハンドケア推奨基準を識別する指標を受信する前記工程が、複数のハンドケア推奨基準のうち１つを選択するのに用いられ得る報告パネルからの指標を受信する、請求項１に記載の方法。
【請求項３】
ハンドケア基準の指標を受信する前記工程及びハンドケア製品ディスペンサーが動作したという指標を受信する前記工程が、前記ハンドケア製品ディスペンサーから両方の指標を受信することを備えている、請求項１に記載の方法。
【請求項４】
ハンドケア基準の指標を受信する前記工程が、前記指標が作成された時間を受信することを含み、
ハンドケア製品ディスペンサーが動作したという指標を受信する前記工程が、前記ハンドケアディスペンサーが動作した時間を受信することを含み、
前記ハンドケア推奨基準の指標を前記ハンドケア製品ディスペンサーの前記指標された使用と関連付ける工程が、前記ハンドケア基準の指標の作成と前記ハンドケア製品ディスペンサーの動作との間の時間の長さを決定することを備えている、請求項１に記載の方法。
【請求項５】
ハンドケア製品使用基準を監視する方法であって、
ハンドケア製品使用基準を識別するのに用いられ、前記識別された基準の指標を通信する報告パネルを提供する工程と、
ハンドケア製品使用基準の指標を受信する監視システムを提供する工程と
を備えている、方法。
【請求項６】
複数のハンドケア製品使用基準のうち１つが、報告パネルを用いて選択され得る、請求項５に記載の方法。
【請求項７】
ハンドケア製品が分配されたという指標を通信するハンドケア製品ディスペンサーを提供する工程と、
ハンドケア製品使用基準の前記指標をハンドケア製品が分配されたという前記指標と関連付ける工程とをさらに備えており、
監視システムを提供する前記工程が、ハンドケア製品が分配されたという指標を受信する監視システムを提供することをさらに備えている、請求項５に記載の方法。
【請求項８】
ハンドケア製品使用基準の前記指標をハンドケア製品が分配されたという前記指標と関連付ける前記工程が、前記ハンドケア基準の識別と前記ハンドケア製品の分配との間の時間の長さを決定することを備えている、請求項７に記載の方法。
【請求項９】
前記報告パネルが、人に持ち運ばれる大きさにされ、人に持ち運ばれるように構築される、請求項６に記載の方法。
【請求項１０】
ハンドケア製品ディスペンサー使用基準を報告する報告パネルであって、
複数の選択可能なセンサーであって、複数の該センサーのうち一部が、それぞれハンドケア基準と関連付けられている、複数のセンサーと、
選択された前記センサーの識別を監視システムに通信する送信器と
を備えている、報告パネル。
【請求項１１】
前記送信器が、無線送信器である、請求項１０に記載の報告パネル。
【請求項１２】
前記送信器が、有線接続を介して送信を行う、請求項１０に記載の報告パネル。
【請求項１３】
ハンドケア基準が識別されたという指標を受信する受信器と、
ハンドケア基準が識別されたという指標を前記受信器が受信した後に、ハンドケア製品を分配する分配装置と
を備えている、ハンドケア製品ディスペンサー。
【請求項１４】
前記受信器が、無線通信を受信する、請求項１３に記載のハンドケア製品ディスペンサー。
【請求項１５】
ハンドケア製品ディスペンサー使用基準を報告する報告パネルをさらに備えており、前記報告パネルは無線送信器を含み、前記受信器が前記報告パネルから無線通信を受信する、請求項１３に記載のハンドケア製品ディスペンサー。
【請求項１６】
ハンドケア製品ディスペンサー使用基準を報告する報告パネルをさらに備えており、前記報告パネルは有線送信器を含み、有線接続は前記報告パネルを前記受信器と接続し、前記受信器が前記報告パネルから前記有線接続を介して通信を受信する、請求項１３に記載のハンドケア製品ディスペンサー。
【発明の詳細な説明】
【技術分野】
【０００１】
関連出願
本出願は、２０１３年３月１３日に出願された米国特許出願第１３／８０１，５３９号に基づく優先権を主張するものである。
【０００２】
連邦政府による資金提供を受けた研究開発
適用なし
【０００３】
マイクロフィッシュ／著作権の参照
適用なし
【０００４】
技術分野
本開示は、手指衛生製品及びスキンケア製品を含むハンドケア製品の使用を識別及び報告することに関する。実施形態は、ハンドケア製品ディスペンサーの近くに配置され、該ディスペンサーの使用に関連付けられたガイドライン又は環境を報告するよう使用者に操作される報告パネルに関する。
【背景技術】
【０００５】
職場でのハンドケアは、仕事に関する活動と、労働者の健康との両方に関与している。手指衛生は、特に医療や食事の調理及び食事の提供を含む特定の活動やサービスにとって不可欠である衛生的な環境を維持し、細菌、ウイルス及び他の疾患原因微生物の広がりを制限するためには、手指衛生はほぼ全ての職場にとって重要である。手指衛生は、石鹸と水で洗浄することや、水または洗い落としを必要としない消毒製品などの液体を使用することにより、行うことができる。手指衛生に使用される衛生製品は、一般的に、手指衛生が望まれる場所に位置したディスペンサーによって分配される。手指スキンケア製品は、作業員のパフォーマンスと生産性を低下させ得るような手指の皮膚の状態を回避及び治療することにより、作業員の健康を増進することができる。本発明は、ハンドケア製品ディスペンサーの手指衛生及び手指スキンケアの両方についての使用を報告することに関する。
【０００６】
ＨＡＩとしても知られる医療関連感染の広がりは、医療施設において増加し続けている課題である。ＨＡＩは、細菌、ウイルス及び他の疾患原因微生物が、患者や環境表面などの様々な供給源から、別の患者または環境表面に、医療従事者の手を介して伝染することにより生じ得る。このような伝染の結果、これまで感染していなかった患者が感染する可能性がある。医療施設では、長年にわたって、ＭＲＳＡ（メチシリン耐性黄色ブドウ球菌）やＶＲＳＡ（バンコマイシン耐性黄色ブドウ球菌）、及び他の薬剤耐性微生物と戦い続けている。近年では、これらの問題がより顕在化している。米国のみでも毎年およそ２，０００，０００件の医療関連感染が起こっており、その結果、毎年約１００，０００人が死亡していると推定されている。これらの感染症に関連する追加費用は、数十億ドルと見積もられる。
【０００７】
医療機関は、ＨＡＩの広がりを予防及び制御しようとしている。このような努力における１つの重要な態様として、医療の専門家が手指衛生の最善の措置に従っていることを確認しようとすることが挙げられる。手指衛生の最善の措置が遵守されているかを監視する方法の１つとして、手指衛生製品ディスペンサーの使用を監視することが挙げられる。そのようなディスペンサーが使用されたことは、手指衛生が行われたことを示している。ディスペンサーは、本出願の出願人に譲渡されている米国特許出願第１２／８２３，４７５号及び第１３／４２７，４６７号に開示されたディスペンサーのように、使用報告を行うように適応させられている。これらの特許出願は、参照により本明細書に組み込まれる。
【０００８】
世界保健機関は、医療現場における手指衛生の５つの時機を特定した。これらの手指衛生行動のための５つの時機を、図１の１０に概略的に示す。具体的には、これらの手指衛生のための５つの時機とは、１：患者に接触する前、２：無菌作業を行う前、３：体液に曝露された恐れがあった後、４：患者に接触した後、及び、５：患者の周囲に接触した後である。これらの５つの時機は、医療現場内における手指衛生のためのガイドラインを提供する。このようなガイドラインが遵守されていることは、医療施設内の場所での手指衛生イベントの回数を監視することにより評価することができる。
【０００９】
手指衛生はまた、食品媒介細菌やウイルスの拡散を防止するために、食品産業において不可欠であると認識されている。このような食品媒介細菌やウイルスには、ノロウイルス、Ａ型肝炎ウイルス、腸チフス菌、赤痢菌属、大腸菌（Ｅ．ｃｏｌｉ）Ｏ１５７：Ｈ７もしくは他の腸管出血性大腸菌または志賀毒素産生大腸菌、黄色ブドウ球菌、サルモネラ属菌及び化膿連鎖球菌が含まれる。食品作業員は、手を汚染する活動の後や、病原体が食品に拡散される活動の前に、手洗いを行うことが不可欠である。
【００１０】
食品医薬品局（ＦＤＡ）は、以下のような場合には、食品作業員は手を洗うよう推奨している：食品調理エリアに入る時；手袋を着用する前（手袋を交換する間を含む）；食事の準備を行う前；清潔な用具及びサービング器具を触る前；作業を変更し、未加工の食材の取り扱いと食べられる状態（ＲＴＥ）の食品を扱う作業とを切り替える時：汚れた食器、用具、器具を取り扱った後；人体の裸部分（例えば、清潔な手及び清潔な腕の露出部以外の部分）に触れた後；トイレを使用した後、咳をした後、くしゃみをした後、鼻をかんだ後、タバコを使用した後、食べた後又は飲んだ後；サービスアニマルや、展示水槽内の軟体動物貝類や甲殻類のような水生動物の世話をした又は取り扱った後。食品作業員はまた、彼らの手を汚染する任意の活動の後に手を洗う必要がある。これらの推奨事項は、これらの活動や状況が発生する食品施設における手指衛生ガイドライン基準を提供する。英国食品基準庁、欧州委員会及び豪州・ニュージーランド食品安全局を含む他の国の食品安全機関も、同様の手指衛生実施基準を推奨している。
【００１１】
ＦＤＡを含む食品安全機関は、危害分析重要管理点（ＨＡＣＣＰ）システムに基づき、施設を管理するための推奨事項を作成した。手指衛生ガイドラインは、ＨＡＣＣＰの分析に基づくシステムに含まれる。ＨＡＣＣＰは、７つの原則に基づいており、そのうち４つは、重要管理点を監視することである。手指衛生が不可欠である場所では、ＨＡＣＣＰの原則は、手指衛生の監視を必要とする。医療手指衛生ガイドラインに関する限り、食品に関する手指衛生ガイドラインは、食品施設内の場所での手指衛生イベントの回数を監視することにより評価することができる。
【００１２】
ハンドケアのガイドライン又は推奨実施基準が遵守されていることは、典型的には、直接観察、製品の消費の追跡、及び最近では手指衛生に適用されている電子監視システムを含む、いくつものアプローチのうち１つを用いて監視される。遵守されていることを測定するには、発生した手指衛生イベントの回数（分子）及び手指衛生が推奨される機会（ガイドライン又は推奨実施基準によれば、手指衛生が行われるべきであった機会）の回数（分母）の両方を認識している必要がある。直接観察では、手指衛生が推奨される機会が生じたかどうかを理解することにより、上記分子及び分母の両方を、全体レベルだけでなく詳細に数えることができる。残念なことに、直接観察には、いくつもの重大な欠陥又は問題、特に、操作が非常に高価であるといった問題があり、そのため、手指衛生の機会の総数のごく小さな割合のみが観察される。また、直接観察は、観察されている者の行動への影響（ホーソン効果）により、遵守されていることが誇張して報告されるという公知のリスクを抱えている。
【００１３】
遵守されていることを測定する他の手段（製品の消費、電子監視）は、典型的には、以下の２つのうち１つの方法で、分母を作成する；すなわち、作業員の位置についての認識に基づいて該分母を「測定」するか、又は、手指衛生の機会について統計的に検証された事前観測を用いて該分母を計算するか、いずれかの方法により、分母を作成する。これらのアプローチの例は、本出願の出願人が所有する米国特許出願第１３／６６９，９８８号により検討されており、該特許出願は、参照により本明細書に組み込まれる。位置に基づいて該分母を計算する手段は、上記ＷＨＯの５つの時機のようなガイドラインに適合させるには、それらの時機が医療作業員の測定可能な移動パターンとうまく相関しないため、困難かつ信頼性がない。そのため、統計に基づいて該分母を計算することが好ましく、全体的な機会の回数だけでなく、該５つの時機のそれぞれについての機会の回数についても、統計的に有効なサンプルの範囲内において正確な計算が可能になる。
【００１４】
しかしながら、いずれの場合においても、上記分子（発生した手指衛生イベントの実際の回数）を具体的なガイドラインまたは推奨実施基準に適合させることは、現在のところ不可能である。むしろ、該分子は、全体レベルにおいてのみ有効である。
【発明の概要】
【００１５】
本技術の一態様は、監視システムと通信する報告パネルを提供する。該報告パネルは、使用者によって操作され、ハンドケア製品がディスペンサーにより提供される際のハンドケアイベントに関する情報を報告する。本発明の１つの用途は、いくつかのガイドライン又は状況のうち、ハンドケアイベントの基準であるのはどれであるかを報告することである。本発明の技術は、ディスペンサーの使用基準である特定のガイドライン又は状況を識別することにより、ディスペンサーの使用を監視するシステムを強化し得る。
【００１６】
本技術の一態様では、報告パネルは、選択され得るいくつかの代替を有する。該代替は、別々のボタン、タッチパネルの領域又は他の別個の操作可能な又は検出する装置であって、ハンドケアイベントの使用基準を識別するためにガイドライン又は状況と関連付けられ得るものによって提示されてもよい。
【００１７】
さらなる記載の態様は、報告パネルに近接している施設領域内におけるディスペンサーの使用と関連付けられ得るハンドケア基準であるガイドライン又は状況を報告するための報告パネルを提供することにある。
【００１８】
さらなる記載の態様は、作業員に持ち運ばれ得て監視システムと通信する個人用報告パネルを提供することにある。
【００１９】
さらに別の記載の態様は、監視システムと通信するハンドケア製品ディスペンサーと通信する個人用報告パネルを提供することにある。
【００２０】
本技術のさらなる態様は、報告パネルがハンドケアイベント基準を識別するよう操作された後、ディスペンサーがハンドケア製品を分配できるようにするために、該ディスペンサーと通信する報告パネルに関する。
【図面の簡単な説明】
【００２１】
【図１】図１は、医療現場における手指衛生の５つの時機を示す。
【図２】図２は、ハンドケア製品ディスペンサー及び報告パネルを有する無線情報収集システムを示す図である。
【図３】図３は、ハンドケア製品ディスペンサー及び関連付けられた報告パネルの斜視図である。
【図４】図４は、報告パネルが接続されたハンドケア製品ディスペンサーの斜視図である。
【図５】図５は、持ち運び可能なハンドケア製品ディスペンサーの斜視図である。
【発明を実施するための形態】
【００２２】
本明細書に記載される実施形態は、監視システムと直接的又は間接的に通信する報告パネルに関する。該報告パネルは、ハンドケアイベント基準を識別するために使用者によって選択されたのはいくつかのガイドライン又は状況のうちどれであるかを報告する。詳細には、実施形態は、１つ以上のハンドケア製品ディスペンサーと関連付けられ得る又はハンドケア製品ディスペンサーの使用者と関連付けられ得る報告パネルに関する。
【００２３】
実施形態が示された添付図面を参照することにより、実施形態について詳細に説明する。全体を通して、同様の参照番号は、同様の要素を参照している。しかしながら、他の実施形態は異なる形態であってもよく、本明細書において説明される実施形態まで限定されず、又は該実施形態に基づいて限定されるものではない。むしろ、これらの実施例は例示である。この開示に基づく権利は、特許請求の範囲によって示される全ての範囲を有している。
【００２４】
図２は、本発明に従って使用され得る無線情報収集システムを示す図である。システム５０は、１つ以上のディスペンサー３０と、無線監視ネットワークと、データ照合サーバー５８とを備えたディスペンサー使用監視システムである。ディスペンサー３０は、該無線監視ネットワークと通信する。図示の無線システム５０は、２つのハブ５４と、ゲートウェイ５６とを含む。ゲートウェイ５６は、データ照合サーバー５８に接続されている。データは、有線ネットワーク（例えば、インターネット）、及び／または、ＧＳＭのような任意のセルラーネットワークを介して、ゲートウェイ５６からサーバー５８へとバースト送信されてもよい。収集されたデータはまた、データ処理のためにオフサイトサーバーに送信されてもよい。本出願の所有者に譲渡され、参照により本明細書に組み込まれる米国特許出願第１３／４２７，４６７号には、無線通信と、無線監視ネットワークと、データ照合サーバーとを含むディスペンサーが記載されている。ディスペンサー３０、無線ネットワーク５０及びシステム５０のデータ照合サーバー５８は、上記出願に記載されるように操作され得る。
【００２５】
システム５０はまた、１つ以上のディスペンサー３０の近くにあると共に該１つ以上のディスペンサー３０と関連付けられた報告パネル２０を含む。報告パネル２０は、いくつかのガイドライン又は状況のうち、関連付けられたディスペンサー３０の使用基準として使用者によって選択されたのはどれであるかを報告する。報告パネル２０は、選択された基準を無線監視システム５０に無線で報告する送信器を備えており、続いて、無線監視システム５０は、送信をデータ照合サーバー５８に転送する。報告パネル２０は、ディスペンサー３０がネットワークに接続する方法で、無線監視システムに接続する。
【００２６】
各報告パネル２０は、最大１００又はそれ以上の選択に関連するデータを格納することが可能であり得る。１００の選択とは単なる例示であって、典型的には、各報告パネルは、わずかな手の選択のためのガイドライン又は状況の選択に関連するデータのみを格納することを必要とするものであってもよいことが、当業者には理解されるであろう。これにより、ハブ５４による受信のキューイングが発生した場合にデータを失う可能性が最小限に抑えられる。該データは、報告パネル２０とハブ５４との間、及び、ハブ５４とゲートウェイ５６との間でバースト送信され、該バーストは、時間またはメモリに依存するものであってもよい。
【００２７】
図３は、報告パネル２０と、表面Ｓに取り付けられたハンドケア製品ディスペンサー３０とを表している。ハンドケア製品ディスペンサー３０は、手指衛生製品を分配する。報告パネル２０は、ディスペンサー３０の近くに配されている。ディスペンサー３０はレバー３２を含み、該レバー３２は、ディスペンサー３０の前方から押されることにより、ディスペンサー３０に一定量のハンドケア製品を分配させる。ディスペンサー３０は、監視システム５０と通信するための無線送信器を含む。
【００２８】
報告パネル２０は、表面Ｓとは反対を向いている表面２６を含む。表面２６には、５つのボタン２１、２２、２３、２４及び２５が設けられている。これらのボタンは、使用者によって別々に選択され得るセンサーとして機能する。５つのボタン２１、２２、２３、２４及び２５に隣接する位置には、数字１、２、３、４及び５がそれぞれ設けられている。それによって、各ボタンは、世界保健機関により特定された医療現場における手指衛生の５つの時機に対応するように標識化されている。また、表面２６上には、図１に示されるような世界保健機関が推奨する手指衛生の５つの時機が描かれた図案２８も設けられている。ハンドケア製品ディスペンサー３０の使用者は、ディスペンサー３０を使用する前に関連付けられたボタン２１、２２、２３、２４又は２５を押すことにより、ディスペンサー３０の使用がＷＨＯの手指衛生の５つの時機のうちのどれに対応するかを示すことができる。報告パネル２０は、使用者によりどのボタンが選択されたかを監視システム５０に通信する送信器を含んでいる。該送信器としては、例えば、ディスペンサー３０の送信器などが挙げられる。報告パネル２０はまた、該選択がなされた時間を報告してもよい。
【００２９】
手指衛生イベント基準である手指衛生時機を選択するためにボタン２１、２２、２３、２４又は２５を押した後、使用者は、続いてディスペンサー３０を操作して、手指衛生のための手指衛生製品を分配させる。ディスペンサー３０は、ディスペンサー３０の該使用を監視システム５０へと報告することとなる。報告パネル２０は、ディスペンサー３０の手頃な距離内に配置され、例えば、ディスペンサー３０が位置する部屋の中に配置される。２つ以上のディスペンサー３０が、単一の報告パネル２０の位置する範囲内に設けられていてもよい。報告されたＷＨＯの時機の選択は、報告されたディスペンサー３０のその後の使用と関連付けられる。該時機の選択及びディスペンサーの使用は、報告パネル２０及びディスペンサー３０に係る既知の位置に基づいて関連付けられてもよく、報告パネルの選択とディスペンサーの使用との間の時間の長さに基づくものであってもよい。例えば、報告パネルを選択する３〜４秒の間に近接しているディスペンサーを使用することが、該報告パネルの選択を該ディスペンサーの使用と関連付ける基準であってもよい。
【００３０】
図４は、タッチ不要センサー４０に隣接して配置され、タッチ不要センサー４０と通信する報告パネル６０を表している。報告パネル６０は、報告パネル２０において記載したように、５つのボタン２１、２２、２３、２４及び２５と、世界保健機関が推奨する手指衛生の５つの時機が描かれた図案２８とを含む。報告パネル２０において記載したように、使用者は、適切なボタンを押すことによって、ＷＨＯの時機を識別する。報告パネル６０は、報告パネル２０が行っていた監視システムとの通信を行わない。報告パネル６０は、ディスペンサー４０と通信するが、有線４２のような有線接続によって通信してもよい。報告パネル６０は、選択されたボタンをディスペンサー４０に報告する。その後、ディスペンサー４０は、該選択されたボタンを、ディスペンサーの使用の報告と共に上記監視システムに報告する。
【００３１】
上記監視システムに報告するためにディスペンサー４０の選択されたボタンを識別することに加えて、報告パネル６０はまた、ディスペンサー４０がハンドケア製品を分配できるようにしてもよい。ディスペンサー４０は、手指衛生製品が分配される場所であるディスペンサー４０に隣接したセンサー視野内に使用者の手があることを検知した際に、手指衛生製品を分配するタッチ不要ディスペンサーである。ディスペンサー４０による手指衛生製品の分配には、手指衛生製品を分配する条件として、報告パネル６０のボタンを事前に選択しておくことが必要であってもよい。このような条件は、報告パネル６０のボタンの選択が記録されるまでディスペンサーの該センサー及び駆動機構が電子的にロックされるように、タッチ不要ディスペンサー４０の手指検知電子機器又は自動分配電子機器の中に実装されてもよい。
【００３２】
図５は、作業員に持ち運ばれる大きさにされ、監視システムと通信する手指衛生イベントに関連付けられた世界保健機関の手指衛生時機を報告するために使用される報告パネル７０を表している。上述の報告パネル２０と同様に、報告パネル７０は、使用者により別々に選択されて操作され得るセンサーとして機能する５つのボタン２１、２２、２３、２４及び２５を有する。５つのボタン２１、２２、２３、２４及び２５に隣接する位置には、数字１、２、３、４及び５がそれぞれ設けられており、各番号には、世界保健機関により特定された医療現場における手指衛生の５つの時機の１つが並べられた標識７１、７２、７３、７４及び７５がそれぞれ設けられている。報告パネル７０は、手指衛生イベントのためのガイドライン又は状況として、ＷＨＯの時機を報告する。
【００３３】
報告パネル７０は据え付けではなく、報告パネル２０が取り付けられているような位置には取り付けられていない。むしろ、報告パネル７０は、作業員によって持ち運ばれる。報告パネル７０は、ポケットの中、首紐（lanyard）上、又は使用者の衣服に留められて持ち運ばれてもよい。報告パネル７０は、報告パネル２０について上述したように、報告パネル７０を監視システムと通信できるようにする送信器を含む。監視システムとの通信の代替として、ハンドケア製品ディスペンサーは、報告パネル７０からの送信を受信するように構成されてもよい。報告パネル７０からのハンドケアイベントのためのガイドライン又は状況の指標を受信するハンドケア製品ディスペンサーは、ディスペンサー４０が上述のように行うのと同様に、該指標をディスペンサーの使用レポートと共に監視システムに報告してもよい。報告パネル７０からの送信を受信するタッチ不要な手指衛生製品ディスペンサーはまた、報告パネル６０及びタッチ不要な手指衛生製品ディスペンサー４０について上述したように、手指衛生製品を分配する前に、ハンドケアイベント基準の指標が必要であってもよい。
【００３４】
本発明は、本明細書に記載の実施形態に限定されるものではない。例えば、ディスペンサー又は報告パネルの監視システムとの通信は、無線通信である必要はない。同様に、データ照合サーバーとの通信は、無線である必要はない。通信は、有線接続や光通信などの他の手段であってもよい。報告パネルは、タッチスクリーン、タッチ不要センサー、又は使用者による種々の選択を報告するよう機能する他のセンサーのような操作可能なボタンとは別の選択可能なセンサーであってもよい。ディスペンサーと通信する報告パネルは、ディスペンサーと共に組み合わされて、２つの別々の通信要素ではなく、単一の部材として作成されてもよい。
【図１】
2016522461.tif 000003
【図２】
2016522461.tif 000004
【図３】
2016522461.tif 000005
【図４】
2016522461.tif 000006
【図５】
2016522461.tif 000007
【国際調査報告】
2016522461.tif 000008
2016522461.tif 000009
2016522461.tif 000010